(57)【要約】【課題】携帯電話機に、例えば、コイン・紙幣・キー・薬・御守り等の物品を確実に保持しておくことができると共に、物品の着脱を簡単且つ迅速に行うことができ、しかも、簡易な構成で安価に作製することができる物品収納ホルダーを提供する。【解決手段】本考案に係る物品収納ホルダーは、コイン・紙幣・キー・薬・御守り等の物品Ｐを収納する収納凹部２を備えたシート状容器１に、粘着面部３を設けてある。この収納凹部２は、シート状容器１の裏面または表面に設けられている。そして、コイン・紙幣・キー・薬・御守り等の物品Ｐを収納する収納凹部２を裏面に形成したシート状容器１を、当該シート状容器１の裏面に設けた粘着面部３により携帯電話機Ｑに貼着させている。【選択図】図１
0003105653.tif 000002
【実用新案登録請求の範囲】
【請求項１】
コイン・紙幣・キー・薬・御守り等の物品を収納する収納凹部を備えたシート状容器に、粘着面部を設けたことを特徴とする物品収納ホルダー。
【請求項２】
シート状容器の裏面に、収納凹部を備えた請求項１に記載の物品収納ホルダー。
【請求項３】
シート状容器の表面に、収納凹部を備えた請求項１に記載の物品収納ホルダー。
【請求項４】
コイン・紙幣・キー・薬・御守り等の物品を収納する収納凹部を裏面に形成したシート状容器を、当該シート状容器の裏面に設けた粘着面部により携帯電話機に貼着させたことを特徴とする物品収納ホルダー。
【請求項５】
収納凹部は、コインの形状に対応すべく、円形に形成されている請求項１乃至４のいずれかに記載の物品収納ホルダー。
【請求項６】
シート状容器の裏面において、収納凹部内に収納された物品の一部を係止すべく、係止片を収納凹部の内側に延設している請求項２または４に記載の物品収納ホルダー。
【請求項７】
コイン・紙幣・キー・薬・御守り等の物品を収納する収納袋部を表面に形成したシート状容器を、当該シート状容器の裏面に設けた粘着面部により携帯電話機に貼着させたことを特徴とする物品収納ホルダー。
【請求項８】
コイン・紙幣・キー・薬・御守り等の物品を収納する収納袋部を裏面に形成したシート状容器を、当該シート状容器の裏面に形成した収納袋部の周囲に設けた粘着面部により携帯電話機に貼着させたことを特徴とする物品収納ホルダー。
【請求項９】
粘着面部は、剥離紙付きの接着剤により形成されている請求項１または４、請求項７または８のいずれかに記載の物品収納ホルダー。
【請求項１０】
粘着面部は、携帯電話機に付設した雌面（雄面）ファスナーに貼着固定されるよう、雄面（雌面）ファスナーにより形成されている請求項１または４、請求項７または８のいずれかに記載の物品収納ホルダー。
【考案の詳細な説明】
【技術分野】
【０００１】
本考案は、例えば、コイン・紙幣・キー・薬・御守り等の物品を、携帯電話機に保持しておくために使用する物品収納ホルダーに関するものである。
【背景技術】
【０００２】
従来においては、例えば、特許文献１に開示されているように、雄雌の面ファスナーの一方の雌面ファスナーを、小物品に貼り付けるための剥離紙付き接着剤を施して固定部材とし、他方の雄面ファスナーは、適度な大きさと厚さのプレート表面に貼り付け、且つその裏面には特定対象物に固定できる剥離紙付き接着剤や吸盤、磁石、帯紐等の取付部材を備えた保持部材とし、前記固定部材とを一組として成る小物品保持着脱ホルダーが提案されている。
【特許文献１】実用新案登録第３０５５１３４号公報
【考案の開示】
【考案が解決しようとする課題】
【０００３】
しかしながら、従来の小物品保持着脱ホルダーは、小物品保持着脱ホルダー自体が保持部材と固定部材を一組として成るので、部材点数が増えて小物品の保持着脱の操作が煩雑となっていた。また、部材点数が多いため、製造コストも高くなり易かった。さらに、雄雌の面ファスナーの一方の雌面ファスナーを、小物品に貼り付けるための剥離紙付き接着剤を施して固定部材としているだけであるので、外部から無理な引っ張り力が働くと固定部材から小物品が剥がれてしまう虞れがあり、小物品を確実に保持することができない弊害が生じていた。
【０００４】
そこで、本考案は如上のような従来存した諸事情に鑑み創案されたもので、携帯電話機等に、例えば、コイン・紙幣・キー・薬・御守り等の物品を確実に保持しておくことができると共に、物品の着脱を簡単且つ迅速に行うことができ、しかも、簡易な構成で安価に作製することができる物品収納ホルダーを提供することを目的とする。
【課題を解決するための手段】
【０００５】
上述した目的を達成するため、本考案に係る物品収納ホルダーは、コイン・紙幣・キー・薬・御守り等の物品を収納する収納凹部を備えたシート状容器に、粘着面部を設けたことで、上述した課題を解決した。
【０００６】
また、シート状容器の裏面に、収納凹部を備えたことで、同じく上述した課題を解決した。
【０００７】
さらに、シート状容器の表面に、収納凹部を備えたことで、同じく上述した課題を解決した。
【０００８】
また、コイン・紙幣・キー・薬・御守り等の物品を収納する収納凹部を裏面に形成したシート状容器を、当該シート状容器の裏面に設けた粘着面部により携帯電話機に貼着させたことで、同じく上述した課題を解決した。
【０００９】
加えて、収納凹部は、コインの形状に対応すべく、円形に形成されていることで、同じく上述した課題を解決した。
【００１０】
また、シート状容器の裏面において、収納凹部内に収納された物品の一部を係止すべく、係止片を収納凹部の内側に延設していることで、同じく上述した課題を解決した。
【００１１】
この他、コイン・紙幣・キー・薬・御守り等の物品を収納する収納袋部を表面に形成したシート状容器を、当該シート状容器の裏面に設けた粘着面部により携帯電話機に貼着させたことで、同じく上述した課題を解決した。
【００１２】
また、コイン・紙幣・キー・薬・御守り等の物品を収納する収納袋部を裏面に形成したシート状容器を、当該シート状容器の裏面に形成した収納袋部の周囲に設けた粘着面部により携帯電話機に貼着させたことで、同じく上述した課題を解決した。
【００１３】
さらに、粘着面部は、剥離紙付きの接着剤により形成されていることで、同じく上述した課題を解決した。
【００１４】
また、粘着面部は、携帯電話機に付設した雌面（雄面）ファスナーに貼着固定されるよう、雄面（雌面）ファスナーにより形成されていることで、同じく上述した課題を解決した。
【考案の効果】
【００１５】
本考案は、以上のように構成されているため、携帯電話機Ｑに、例えば、コイン・紙幣・キー・薬・御守り等の物品Ｐを確実に保持しておくことができる。また、物品Ｐの着脱を簡単且つ迅速に行うことができる。さらに、簡易な構成でシート状容器１を安価に作製することができる。
【００１６】
具体的には、シート状容器１の収納凹部２・収納袋部４に、例えば、物品Ｐとして５００円硬貨を収納している状態でシート状容器１を携帯電話機Ｑに貼着させたときは、携帯電話機Ｑを介して５００円硬貨を常に持ち歩くこととなる。
【００１７】
その結果、例えば、財布を落としてしまったような緊急事態が発生したときに、シート状容器１を携帯電話機Ｑから剥がして、シート状容器１の収納凹部２・収納袋部４に収納している５００円硬貨を取り出して、この５００円硬貨を使用することができる。
【００１８】
また、家や車のキーを携帯電話機Ｑに貼着させたときには、携帯電話機Ｑを介してキーを常に持ち歩くこととなり、キーを紛失してしまったような緊急事態が発生したときに、シート状容器１を携帯電話機Ｑから剥がして、シート状容器１の収納凹部２・収納袋部４に収納しているキーを取り出して、このキーを使用することができる。
【考案を実施するための最良の形態】
【００１９】
以下に、本考案を実施するための最良の形態を、図面を参照して説明する。本考案は、例えば、コイン・紙幣・キー・薬・御守り等の物品Ｐを携帯電話機Ｑに保持しておくために使用する物品収納ホルダーであり、例えば、透明な軟質合成樹脂製のシート状容器１により構成されている。このシート状容器１の裏面には、図１に示すように、例えば、物品Ｐとしてのコインを収納する円形状の収納凹部２を形成してある。
【００２０】
また、シート状容器１の裏面における収納凹部２の周辺には、剥離紙５付きの粘着面部３が設けられている。そして、図１乃至図３に示すように、収納凹部２
に物品Ｐを収納している状態で、当該収納凹部２を塞ぐようにして、シート状容器１を粘着面部３を介して携帯電話機Ｑの裏面に貼り付けることで、物品Ｐを携帯電話機Ｑに確実に保持している。尚、粘着面部３は、携帯電話機Ｑに付設した雌面（雄面）ファスナーに貼着固定されるよう、雄面（雌面）ファスナーにより形成しても良い。
【００２１】
シート状容器１の裏面においては、図２・図３に示すように、係止片６を収納凹部２の内側に延設することで、収納凹部２内に収納した物品Ｐの一部を係止させ、物品Ｐの保持を確実なものとしている。
【００２２】
次に、以上のように構成された本考案の最良の形態について、使用の一例を説明する。まず、図１に示すように、シート状容器１の裏面に形成した収納凹部２に、例えば、物品Ｐとしてのコインを収納してから、当該収納凹部２を塞ぐようにして、粘着面部３を介して携帯電話機Ｑの裏面にシート状容器１を貼り付ける。こうすることで、シート状容器１の収納凹部２を携帯電話機Ｑが塞ぐこととなり、携帯電話機Ｑに物品Ｐを確実に保持できるのである。
【００２３】
そして、シート状容器１から物品Ｐを取り出すときは、携帯電話機Ｑの裏面からシート状容器１の粘着面部３を剥がし、開放された収納凹部２から物品Ｐを取り出せば良い。このシート状容器１は、使い捨てのものであっても良いし、また、繰り返し使用できるものであっても良い。
【００２４】
図４には、本考案に係る物品収納ホルダーの他の形態が示されている。尚、上記した最良の形態における構成と略同じ部分には同じ符号を付すことにより、その詳細な説明を省略する。本形態においては、シート状容器１の表面に、例えば、円形状の収納袋部４を形成し、この中に物品Ｐとしての、例えば、コインを収納できるようにしている。また、当該シート状容器１の裏面に設けた粘着面部３により、シート状容器１を携帯電話機Ｑに貼り付けるのである。このシート状容器１を携帯電話機Ｑに貼り付けたときには、図４に示すように、収納袋部４の上方が開放しているため、シート状容器１を携帯電話機Ｑに貼り付けた状態において、収納袋部４にコインを収納したり、収納袋部４からコインを取り出す行為を繰り返し行うのに好ましいものとなる。
【００２５】
図５にも、本考案に係る他の形態が示されている。本形態においては、シート状容器１の裏面に、例えば、円形状の収納袋部４を形成し、この中に物品Ｐとしての、例えば、コインを収納できるようにしている。また、当該シート状容器１の裏面に形成した収納袋部４の周囲に設けた粘着面部３により、シート状容器１を携帯電話機Ｑに貼り付けるのである。このシート状容器１を携帯電話機Ｑに貼り付けたときには、図５に示すように、収納袋部４の上方が塞がれているため、シート状容器１の収納袋部４に収納しているコインが飛び出したり落下することがない。また、使い捨てのシート状容器１として、好ましいものとなる。
【００２６】
尚、収納凹部２や収納袋部４に収納するのは、コインに限定されることはない。例えば、折り畳んだ状態の紙幣、差し込み部分の短いキー、薬、御守り等の種々の物品Ｐを収納凹部２や収納袋部４に収納できる。また、収納凹部２や収納袋部４の形状も、円形に限定されることはない。収納する物品Ｐの形状に対応して、収納凹部２や収納袋部４を、例えば、正方形・矩形・楕円形等に形成しても良い。
【産業上の利用可能性】
【００２７】
本考案に係る物品収納ホルダーは、シート状容器１を携帯電話機Ｑに貼着して使用する他、例えば、腕時計、ベルト、カバン、その他の身の回り品等に貼着して使用することができる。
【図面の簡単な説明】
【００２８】
【図１】シート状容器の裏面に設けた収納凹部に物品としてのコインを収納し、シート状容器を携帯電話機に貼り付ける状態を説明した分解斜視図である。
【図２】シート状容器の裏面に設けた収納凹部に物品としてのコインを収納する状態を説明した背面図である。
【図３】図２中の、Ｘ−Ｘ線断面図である。
【図４】シート状容器の表面に設けた収納袋部に物品としてのコインを収納し、シート状容器を携帯電話機に貼り付ける状態を説明した分解側断面図である。
【図５】シート状容器の裏面に設けた収納袋部に物品としてのコインを収納し、シート状容器を携帯電話機に貼り付ける状態を説明した分解側断面図である。
【符号の説明】
【００２９】
Ｐ…物品                    Ｑ…携帯電話機
１…シート状容器            ２…収納凹部
３…粘着面部                ４…収納袋部
５…剥離紙                  ６…係止片
【図１】
0003105653.tif 000003
【図２】
0003105653.tif 000004
【図３】
0003105653.tif 000005
【図４】
0003105653.tif 000006
【図５】
0003105653.tif 000007